(57)【要約】【課題】作業指示情報を明示し、作業の進捗情報を把握する。【解決手段】サーバ１１が有する処置箇所などの作業対象に関する情報、処置内容などの作業内容に関する情報、処置実施日時などの作業運用情報の少なくとも一部を、処置箇所に取り付けられる表示札１０のＩＣタグに電子的に書き込むと共に、この表示札表面に、少なくとも処置箇所、処置内容などに関する情報を印字し、表示札１０のＩＣタグに対する情報の読み書きが電子的に可能な携帯端末１５に、少なくとも表示札１０のＩＣタグに書き込まれた情報を保持させ、表示札１０の取り付け処置箇所に対する所定の処置が施された後、この処置の進捗状況を携帯端末１５によって表示札１０のＩＣタグに書き込み、この携帯端末１５により表示札１０のＩＣタグ内の情報を読み出して、携帯端末１５内の対応する情報を更新すると共に、サーバ１１に情報をアップロードする。【選択図】図１
2009048456.tif 000002
【特許請求の範囲】
【請求項１】
サーバ側コンピュータが有する処置箇所などの作業対象に関する情報、処置内容などの作業内容に関する情報、処置実施日時などの作業運用に関する情報の少なくとも一部を、前記処置箇所に取り付けられる表示札の記憶素子に電子的に書き込むと共に、この表示札表面に、少なくとも前記処置箇所、処置内容などに関する情報を印字し、
前記表示札の記憶素子に対する情報の読み書きが電子的に可能な携帯端末に、少なくとも前記表示札の記憶素子に書き込まれた前記情報を保持させ、
前記表示札が取り付けられた処置箇所に対する所定の処置が施された後、この処置の進捗状況などを、前記携帯端末によって、この処置箇所に取り付けられた表示札の記憶素子に書き込み、
この携帯端末により、前記処置箇所に取り付けられた表示札の記憶素子から、この表示札の記憶素子に書き込まれた情報を読み出して、携帯端末に保持されている対応する情報を更新すると共に、前記サーバ側コンピュータに情報をアップロードする
ことを特徴とする作業管理方法。
【請求項２】
前記サーバ側コンピュータは、センターデータベースを有するサーバコンピュータと、センターデータベースの少なくとも一部のデータを切り取ったレプリカデータベースを有するクライアントコンピュータにより構成されていることを特徴とする請求項１に記載の作業管理方法。
【請求項３】
前記表示札は、感熱印字材料の印字面を有し、サーマルプリンタによって、前記センター側コンピュータから出力される所定の情報が、前記印字面に、温度サイクルによる発色と消色を繰り返し可能な状態で、印字されていることを特徴とする請求項１に記載の作業管理方法。
【請求項４】
処置箇所などの作業対象に関する情報、処置内容などの作業内容に関する情報、処置実施日時などの作業運用に関する情報を少なくとも有し、これらの情報を必要に応じて任意に入出力可能なサーバ側コンピュータと、
このサーバ側コンピュータにより少なくとも前記処置箇所、処置内容などに関する情報が印字され、かつ前記作業対象に関する情報、作業内容に関する情報、及び作業運用に関する情報の少なくとも一部が電子的に書き込まれる記憶素子を備えており、前記処置箇所に取り付けられる表示札と、
この表示札の記憶素子に対する情報の読み書きが電子的に可能で、この表示札の記憶素子に書き込まれた前記情報を保持し、この表示札の記憶素子に、前記処置箇所に実施された処置内容などの情報を書き込み可能で、かつ、前記表示札の記憶素子から読み出した情報により対応する前記保持情報を更新すると共に、前記サーバ側コンピュータに情報のアップロードが可能な携帯端末と、
を備えたことを特徴とする作業管理システム。
【請求項５】
前記サーバ側コンピュータは、センターデータベースを有するサーバコンピュータと、センターデータベースの少なくとも一部のデータを切り取ったレプリカデータベースを有するクライアントコンピュータにより構成されていることを特徴とする請求項４に記載の作業管理システム。
【請求項６】
前記表示札は、感熱印字材料の印字面を有し、サーマルプリンタによって、前記センター側コンピュータから出力される所定の情報が、前記印字面に、温度サイクルによる発色と消色を繰り返し可能な状態で、印字されていることを特徴とする請求項４に記載の作業管理システム。
【発明の詳細な説明】
【技術分野】
【０００１】
本発明は、各種作業における指示情報、進捗情報、および履歴情報等を管理する作業管理方法および作業管理システムに関する。
【背景技術】
【０００２】
一般に、作業や管理の対象物が多数ある場合には、対象物は迅速かつ正確に識別可能に管理されている。例えば、大規模な施設の電気系統は多数の端子盤や配線によって構成されているので、識別コードなどを記録した表示札を対象物に取り付けて管理する技術が知られている（例えば、特許文献１参照）。
【０００３】
しかし、上記技術は、電気系統において端子盤や配線を識別して管理するに過ぎず、作業対象となる端子盤や配線の明示や具体的な作業指示を行うものではない。
【０００４】
そのため、作業員が配線等の交換作業を行う際には、作業対象の配線等に処置内容等を記載した表示札を取り付けるのが一般的である。この表示札は、配線等の仮処置（後述するジャンパーやリフト）時に使用されている感圧複写式の表示札のことであり、処置と復旧の失念防止のために使用され、運用方法は任意に定められている。例えば、表示札の原紙を処置対象物へ取付け、複写紙を目に付くところへ掲示し、別紙の管理表にて処置と復旧の進捗管理を行うという運用がなされている。
【特許文献１】特開２００６−１０１５７４号公報
【発明の開示】
【発明が解決しようとする課題】
【０００５】
しかしながら、従来の感圧式複写紙の表示札による作業管理には、次の問題があった。
【０００６】
（１）複写紙に手書きで作業指示情報を記入するため、表示札作成に多くの時間を必要とするだけでなく、作業指示情報が誤って記入される可能性がある。特に、発電所などの大規模なシステムの試運転や調整を行う場合には、実に数百に及ぶ配線への仮処置が必要となるので、表示札作成と記載内容の確認に多大な労力を要する。
【０００７】
（２）作業現場での処置履歴が表示札へ手書きで記録されているので、作業進捗の把握が困難である。
【０００８】
（３）一度使用した感圧式複写紙の表示札を再利用できない。すなわち、表示札の再作成にコストが掛かるだけでなく、定期点検など周期的な作業でも過去の実施データを活用できない。
【０００９】
そこで、本発明は、上記従来技術の問題に鑑み、作業員の負担が少なく、正確な作業指示が可能であり、作業進捗の把握が容易な作業管理方法および作業管理システムを提供することを目的とする。
【課題を解決するための手段】
【００１０】
本発明に係る作業管理方法は、サーバ側コンピュータが有する処置箇所などの作業対象に関する情報、処置内容などの作業内容に関する情報、処置実施日時などの作業運用に関する情報の少なくとも一部を、前記処置箇所に取り付けられる表示札の記憶素子に電子的に書き込むと共に、この表示札表面に、少なくとも前記処置箇所、処置内容などに関する情報を印字し、前記表示札の記憶素子に対する情報の読み書きが電子的に可能な携帯端末に、少なくとも前記表示札の記憶素子に書き込まれた前記情報を保持させ、前記表示札が取り付けられた処置箇所に対する所定の処置が施された後、この処置の進捗状況などを、前記携帯端末によって、この処置箇所に取り付けられた表示札の記憶素子に書き込み、この携帯端末により、前記処置箇所に取り付けられた表示札の記憶素子から、この表示札の記憶素子に書き込まれた情報を読み出して、携帯端末に保持されている対応する情報を更新すると共に、前記サーバ側コンピュータに情報をアップロードすることを特徴とする。
【００１１】
本発明に係る作業管理システムは、処置箇所などの作業対象に関する情報、処置内容などの作業内容に関する情報、処置実施日時などの作業運用に関する情報を少なくとも有し、これらの情報を必要に応じて任意に入出力可能なサーバ側コンピュータと、このサーバ側コンピュータにより少なくとも前記処置箇所、処置内容などに関する情報が印字され、かつ前記作業対象に関する情報、作業内容に関する情報、及び作業運用に関する情報の少なくとも一部が電子的に書き込まれる記憶素子を備えており、前記処置箇所に取り付けられる表示札と、この表示札の記憶素子に対する情報の読み書きが電子的に可能で、この表示札記憶素子に書き込まれた前記情報を保持し、この表示札の記憶素子に、前記処置箇所に実施された処置内容などの情報を書き込み可能で、かつ、前記表示札の記憶素子から読み出した情報により対応する前記保持情報を更新すると共に、前記サーバ側コンピュータに情報のアップロードが可能な携帯端末とを備えたことを特徴とする。
【発明の効果】
【００１２】
本発明によれば、作業員の負担が少なく、正確な作業指示が可能であり、かつ、作業進捗の把握が容易な作業管理方法および作業管理システムが提供される。
【発明を実施するための最良の形態】
【００１３】
以下、本発明の実施形態について図面を用いて説明する。図１は、本発明の一実施形態の全体構成例を示す図である。同図に示されるように、本実施形態に係る作業管理システム１は、表示札１０、サーバ１１、サーバ用ロイコリライトプリンタ１２、クライアント端末１３、現場用ロイコリライトプリンタ１４、および携帯端末１５から構成されている。
【００１４】
表示札１０は、現場作業における配線などの仮処置時に使用されるものであり、処置と復旧の失念防止のために使用される。尚、本システムで用いられる表示札１０は、ＩＣタグリーダライタとの無線通信によって電子情報を書込みが可能なＩＣタグ（記憶素子）を内蔵しており、表示札表面には感熱印字材料（ロイコカード）によって文字情報が印字される。
【００１５】
図２は、表示札１０に印字される情報の具体例を示す図である。ここでは、表示札の発行番号、処置内容、作業対象、対象端子、担当者、処置期間、印字回数などが記載されており、作業員はこれらの情報を処置・復旧等の作業時に参照する。尚、処置の種類は、例えば、配線の場合、ジャンパー、リフト、ロックの３種類がある。ジャンパーとは、盤内装置の改造時などにおいて、改造予定の装置から生じるべき信号を、上位システムに模擬的に伝えるための仮の配線を施すことを言う。リフトとは、改造などのために特定の配線を一時的に取り外して電気を止める処置を言う。ロックとは、改造などのために、電源側開閉器を開操作し、特定の配線への電気供給を止める処置を言う。
【００１６】
また、これらの処置が解除され、元の状態に戻されることを復旧という。仮処置および仮復旧は、処置・復旧作業が一時的なことをいう。図３は、表示札１０による処置の具体例を示す図であり、左側がリフト処置対象の配線に表示札１０が取り付けられた状態を示し、右側はジャンパー処置を施した配線に表示札１０が取り付けられている状態を示している。
【００１７】
図４は、ロイコカードによる表示札１０の表面に対する印字方式を説明する図である。同図に示されるように、ロイコカードによる印字方式は、温度サイクルによって発色と消色を繰り返すものであり、数百回以上の書き換えが可能である。
【００１８】
図１に戻って、サーバ１１は、表示札１０を使用する処置を含む作業全体を管理するコンピュータであり、作業要領書を作成するためにクライアント端末１３から入力された各種情報（サイト情報、作業情報、対象設備、対象配線等）を保管するマスターデータベース１１１を備えている。このマスターデータベース１１１に保管されたデータには、表示札１０のＩＣタグに記憶され、印字される情報も含まれている。そして、クライアント端末１３からの要求に応じて、図示しないプリンタにより作業要領書を発行させたり、サーバ用ロイコリライトプリンタ１２に表示札１０の発行要求を行う。
【００１９】
サーバ用ロイコリライトプリンタ１２は、サーバ１１に接続されており、サーバ１１からの発行要求に応じて表示札１０を発行する。すなわち、サーマルプリンタ機能及びＩＣタグリーダライタ機能を持っており、表示札１０の表面に、図２で示したような、処置箇所、処置内容などを含む情報を前記ロイコカード方式にてサーマル印字し、かつ、表示札１０を構成するＩＣタグに、作業対象に関する情報、作業内容に関する情報、及び作業運用に関する情報等を電子的に書き込む。尚、サーバ用ロイコリライトプリンタ１２は、事務所等での使用を前提とするので表示札１０の連続発行が可能な大型タイプが好適である。
【００２０】
クライアント端末１３は、ネットワークを介してサーバ１１に接続され、サーバ１１に各種の処理要求を行うと共に、マスターデータベース１１１の記憶内容を管理するコンピュータである。図５乃至図７はマスターデータベース１１１を構成する各テーブルの記憶項目を示す図である。図５は、ケーブル情報、作業情報、および運用情報を記憶する基本情報テーブル、図６は、ＩＣタグのＵＩＤや発行回数を記憶する表示札発行管理テーブル、図７は、作業員のＩＤ、氏名、パスワード等を記憶するユーザ管理テーブルの記憶項目を示す図である。
【００２１】
また、クライアント端末１３は、マスターデータベース１１１とデータリンクされ、マスターデータベース１１１の少なくとも一部のデータを切り取ったレプリカデータベース１３１を内部に備えている。また、サーバ１１にネットワークで接続されていない現場作業所に持ち込んで、表示札１０の情報を管理することが可能となっている。この場合、ネットワークへの再接続の際にデータリンクがなされる。
【００２２】
現場用ロイコリライトプリンタ１４は、現場作業所においてクライアント端末１３に接続されており、クライアント端末１３からの要求に応じて表示札１０を発行するものであり、サーマルプリンタ機能とＩＣタグリーダライタ機能とを持っている。尚、現場用ロイコリライトプリンタ１４は、現場作業所への持ち込みが可能な小型タイプが好適である。
【００２３】
携帯端末１５は、クライアント端末１３と有線若しくは無線によって接続され、表示札１０のＩＣタグの電子情報を読み書きするＩＣタグリーダライタ機能を有する。この携帯端末１５は、表示札１０のＩＣタグに書き込まれた情報を少なくとも保持する。すなわち、レプリカデータベース１３１の記憶内容の少なくとも一部を記憶する記憶部（図示しない）を内部に有する。また、表示札１０に対して、所定の処置箇所で実施された処置内容などの情報を書き込むことが可能である。すなわち、作業員は、表示札１０表面の印字情報と携帯端末１５の画面に表示される記憶部の情報を参照して処置・復旧作業を施し、作業情報を携帯端末１５によって表示札１０のＩＣタグに書き込むことができる。さらに、表示札１０のＩＣタグから読み出した情報により、対応する保持情報を更新すると共に、サーバ側コンピュータであるクライアント端末１３に情報のアップロードが可能である。すなわち、携帯端末１５により処置箇所に取り付けられた表示札１０からＩＣタグの情報が読み出されると、携帯端末１５の記憶部内の情報の更新処理が行われる。そして、表示札１０のＩＣタグの情報が無線通信などによって携帯端末１５からクライアント端末１３にアップロードされ、レプリカデータベース１３１が更新される。クライアント端末１３がネットワークに接続された際には、この更新情報はサーバ１１へ送信され、マスターデータベース１１１が更新される。
【００２４】
以下、作業管理システム１の動作を図８乃至図１５に基づいて説明する。図８は、作業管理システム１における表示札１０の発行処理の具体例を示すフローチャートである。
【００２５】
先ず、クライアント端末１３から現場作業所、配線、端子盤、表示札１０、携帯端末１５、および作業員の識別情報等をネットワーク接続されたサーバ１１のマスターデータベース１１１に予め登録する（Ｓ８０１）。
【００２６】
次に、登録されている情報の中から表示札１０を用いた作業の対象となる現場、端子盤、配線等を選択する（Ｓ８０２）。
【００２７】
そして、登録情報を元に表示札１０の表面に処置箇所、処置内容などを含む情報を前記ロイコカード方式にてサーマル印字し、かつ、表示札１０を構成するＩＣタグに、作業対象に関する情報、作業内容に関する情報、及び作業運用に関する情報等を電子的に書き込み、発行する（Ｓ８０３）。尚、現場作業所において現場用ロイコリライトプリンタ１４によって印字し、発行しても良い。
【００２８】
上記処理によって発行された表示札１０は、別途作成された作業要領書や、表示札表面に印字されている情報に基づいて作業対象となる端子盤や配線などへ取り付けられる。
【００２９】
続いて、発行された表示札１０の運用方法を図９に基づいて説明する。図９は、表示札１０の運用方法の具体例を示すフローチャートである。
【００３０】
先ず、携帯端末１５が起動されると、ユーザ認証画面が表示される（Ｓ９０１）。図１０は、ユーザ認証画面の具体例を示す図である。
【００３１】
次に、作業員によってユーザＩＤおよびパスワードが入力されると、携帯端末１５の記憶部内にあらかじめ登録されている作業員の登録情報との比較が行われる（Ｓ９０２）。ここで、登録情報と一致した場合は、携帯端末１５にタグ読込画面が表示される（Ｓ９０３）。図１１は、タグ読込画面の具体例を示す図である。これに対し、登録情報と一致しない場合は、Ｓ９０１に戻り、再度認証が行われる。
【００３２】
次に、タグ読込画面の表示中に作業員によるタグ読込ボタンの押下の有無が判定される（Ｓ９０４）。ここで、タグ読込ボタンの押下が有った場合には、処置・復旧の対象箇所に取り付けられた表示札１０からＩＣタグの情報が読込まれると共に携帯端末１５にタグ情報表示画面が表示され（Ｓ９０５）、表示札１０のＩＣタグに記憶されている現在の処置・復旧状態および実施可能な作業メニュー等が作業員に提示される。図１２は、タグ情報表示画面の具体例を示す図である。これに対し、タグ読込ボタンの押下が無い場合には、タグ読込画面の表示が一定時間維持される。
【００３３】
次に、タグ情報表示画面の表示中に作業員による作業メニューの選択の有無が判定される（Ｓ９０６）。ここで、作業メニューの選択が有った場合には、選択された作業メニューに応じたタグ書込確認画面が表示される（Ｓ９０７）。図１３は、タグ情報表示画面の具体例を示す図である。これに対し、作業メニューの選択が無い場合には、タグ情報表示画面の表示が一定時間維持される。
【００３４】
次に、タグ書込確認画面の表示中に作業員によるタグ書込ボタンの押下の有無が判定される（Ｓ９０８）。ここで、タグ書込ボタンの押下が有った場合には、タグ書込ボタンが押下されると携帯端末１５の記憶部内の情報が更新される（Ｓ９０９）。これに対し、タグ書込ボタンの押下が無い場合には、タグ書込確認画面の表示が一定時間維持される。そして、記憶部内の処置・復旧作業の情報の更新が完了すると、表示札１０のＩＣタグ内の処置・復旧作業の更新情報が書込まれる（Ｓ９１０）。例えば、作業者ＩＤ、処置・復旧の作業日時、処置内容などが書込まれる。
【００３５】
上記処理により、携帯端末１５および表示札１０のＩＣタグ内において処置・復旧作業の情報が共有される。
【００３６】
最後に、処置・復旧後におけるクライアント端末１３との通信処理を図１４に基づいて説明する。図１４は、携帯端末１５からクライアント端末１３へ作業情報のアップロードが行われた際の処理の具体例を示すフローチャートである。
【００３７】
先ず、携帯端末１５からクライアント端末１３へ処置・復旧作業の情報（タグ情報）が送信される（Ｓ１４０１）。
【００３８】
次に、クライアント端末１３において処置・復旧情報が受信されると、この情報によってレプリカデータベース１３１内の対応する情報が更新される（Ｓ１４０２）。
【００３９】
次に、クライアント端末１３がネットワークを介してサーバ１１に接続されると、レプリカデータベース１３１内の処置・復旧情報がサーバ１１へ送信される（Ｓ１４０３）。
【００４０】
そして、サーバ１１において処置・復旧情報が受信されると、この情報によってマスターデータベース１１１が更新される（Ｓ１４０４）。
【００４１】
上記処理により、処置・復旧情報が表示札１０、レプリカデータベース１３１、携帯端末１５、およびマスターデータベース１１１で共有される。
【００４２】
したがって、上記システムを導入することにより、作業管理者はクライアント端末１３の画面上で処置・復旧作業の進捗状況を容易に把握することが可能となる。図１５は、クライアント端末１３で表示される処置・復旧作業進捗管理画面の具体例を示す図である。
【００４３】
また、上記システムでは、繰り返し使用が可能な表示札１０が使用されることによって、紙製の表示札に比べて作成の手間を大きく省くことができ、かつ、定期点検など周期的に行われる作業では、一度登録された情報はデータベースとして残すことができる。したがって、実績ある前回データ（実施エビデンス）を元に仮処置情報の再利用を容易に行うことができる。すなわち、各現場でのノウハウを次回へ引き継ぐことも可能となり、仮処置漏れの予防など品質向上に効果が発揮される。
【００４４】
上記実施の形態では表示札１０を用い、これを直接処置箇所に取り付けているが、盤内配線に対する処置を行う場合、表示札１０を盤内配線に取り付けた状態で、盤扉を閉めてしまうと、盤外部からは、盤内における表示札１０の存在を把握することができない。勿論、盤扉を開ければ表示札の存在有無は容易に確認できるが、発電所など、多数の盤が設置されている場合は、一々盤扉を開けて確認を行うことは作業者に多大の労力を負わせることとなる。
【００４５】
そこで、表示札１０の表面に印字された内容と同じものを、簡易形のラベルプリンターにより貼付用紙上に印字して貼付ラベルを作成し、盤内の配線に表示札１０を取り付ける際、その表面に記載されたものと同じ内容のラベルを盤扉表面に貼り付けておくようにする。このようにすれば、盤扉を閉じた状態でも、盤内における表示札１０の存在（処置の有無）を容易に確認でき、作業者に対する負担を大幅に軽減することができる。
【００４６】
なお、上記貼付ラベルの作成は、その表面に印字されるデータは、表示札１０の表面に印字されるデータをそのまま使えばよい。このデータは、マスターデータベース１１１またはレプリカデータベース１３１に保管されているので、これらの制御のもと、ラベルプリンターにより容易に作成することができる。
【００４７】
また、上記実施の形態では、処置対象として配線部分を例示したが、本発明は勿論これに限定されるものではなく、例えば、機械設備を対象とし、そのある部分に所定の処置を施す場合についても適用できる。すなわち、同様の表示札を作成し、これを処理対象箇所に取り付けておけばよい。その結果、作業員の負担が少なく、正確な作業指示が可能であり、作業進捗の把握が容易となるという効果を奏することができる。
【００４８】
尚、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。更に、異なる実施形態にわたる構成要素を適宜組み合わせてもよい。
【図面の簡単な説明】
【００４９】
【図１】本発明の一実施形態に係る作業管理システム１の全体構成例を示すブロック図。
【図２】本発明の一実施形態に係る表示札１０の印字情報の具体例を示す図。
【図３】本発明の一実施形態に係る表示札１０による処置の具体例を示す図。
【図４】本発明の一実施形態に係るサーマルプリンタの印字方式を説明する図。
【図５】本発明の一実施形態に係るマスターデータベース１１１の記憶項目の具体例を示す図。
【図６】本発明の一実施形態に係るマスターデータベース１１１の記憶項目の具体例を示す図。
【図７】本発明の一実施形態に係るマスターデータベース１１１の記憶項目の具体例を示す図。
【図８】本発明の一実施形態に係る作業管理システム１における表示札１０の発行処理の具体例を示すフローチャート
【図９】本発明の一実施形態に係る携帯端末１５を用いた運用の具体例を示すフローチャート。
【図１０】本発明の一実施形態に係る携帯端末１５に表示されるユーザ認証画面の具体例を示す図。
【図１１】本発明の一実施形態に係る携帯端末１５に表示されるタグ読込画面の具体例を示す図。
【図１２】本発明の一実施形態に係る携帯端末１５に表示されるタグ情報表示画面の具体例を示す図。
【図１３】本発明の一実施形態に係る携帯端末１５に表示されるタグ書込確認画面の具体例を示す図。
【図１４】本発明の一実施形態に係る携帯端末１５からクライアント端末１３へ処置・復旧情報のアップロードが行われた際の処理の具体例を示すフローチャート。
【図１５】本発明の一実施形態に係るクライアント端末１３に表示される処置・復旧作業進捗管理画面の具体例を示す図。
【符号の説明】
【００５０】
１…作業管理システム、
１０…表示札、１１…サーバ、
１２…サーバ用ロイコリライトプリンタ、１３…クライアント端末、
１４…現場用ロイコリライトプリンタ、１５…携帯端末、
１１１…マスターデータベース、１３１…レプリカデータベース。
【図１】
2009048456.tif 000003
【図２】
2009048456.tif 000004
【図３】
2009048456.tif 000005
【図４】
2009048456.tif 000006
【図５】
2009048456.tif 000007
【図６】
2009048456.tif 000008
【図７】
2009048456.tif 000009
【図８】
2009048456.tif 000010
【図９】
2009048456.tif 000011
【図１０】
2009048456.tif 000012
【図１１】
2009048456.tif 000013
【図１２】
2009048456.tif 000014
【図１３】
2009048456.tif 000015
【図１４】
2009048456.tif 000016
【図１５】
2009048456.tif 000017